(57)【要約】【課題】新規な機能を付加した配管カバー及び配管カバー用アタッチメントを提供すること。【解決手段】アタッチメント３１は、配管カバー２２に取り付けられた第一ベース部材３２及び第二ベース部材３３と、第一ベース部材３２の外面には支持部３４が、第二ベース部材３３の外面には支持部３５がそれぞれ突設されている。第一ベース部材３２の支持部３４と第二ベース部材３３の支持部３５との間には、棒状のハンガー部材３６が架け渡されている。ハンガー部材３６には、タオルを掛け置くことが可能である。【選択図】図１
2017082970.tif 000002
【特許請求の範囲】
【請求項１】
露出配管を構成する配管部品を覆うためのカバー本体と、当該カバー本体の外面に設けられて物品を保持するための物品保持部とを備えていることを特徴とする配管カバー。
【請求項２】
露出配管を構成する配管部品を覆うための配管カバーに用いられるアタッチメントであって、前記配管カバーに取り付け可能なベース部材と、当該ベース部材に設けられて物品を保持するための物品保持部とを備えていることを特徴とする配管カバー用アタッチメント。
【発明の詳細な説明】
【技術分野】
【０００１】
本発明は、露出配管を構成する配管部品を覆うための配管カバー及び配管カバーに用いられるアタッチメントに関する。
【背景技術】
【０００２】
特許文献１には、家屋の壁面に給水管路を露出して配置する、所謂露出配管が開示されており、当該露出配管を構成するパイプや継手等は、配管カバーによって覆われている。
【先行技術文献】
【特許文献】
【０００３】
【特許文献１】特許第５７３４８１５号公報
【発明の概要】
【発明が解決しようとする課題】
【０００４】
ところが、前記露出配管が、例えば洗面所において行われた場合、配管カバーが洗面所の使用者側に突出して邪魔になる問題があった。
本発明の目的は、新規な機能を付加した配管カバー及び配管カバー用アタッチメントを提供することにある。
【課題を解決するための手段】
【０００５】
上記目的を達成するために、請求項１の発明の配管カバーは、露出配管を構成する配管部品を覆うためのカバー本体と、当該カバー本体の外面に設けられて物品を保持するための物品保持部とを備えていることを特徴としている。
【０００６】
また、請求項２の発明は、露出配管を構成する配管部品を覆うための配管カバーに用いられるアタッチメントであって、前記配管カバーに取り付け可能なベース部材と、当該ベース部材に設けられて物品を保持するための物品保持部とを備えていることを特徴としている。
【発明の効果】
【０００７】
本発明によれば、配管カバーに物品を保持する機能を付加することができる。
【図面の簡単な説明】
【０００８】
【図１】本発明が適用された露出配管を示す斜視図。
【図２】図1のＡ−Ａ線断面図。
【図３】別例の配管カバーを示す斜視図。
【図４】別の別例のアタッチメントを示す斜視図。
【図５】別の別例のアタッチメントを示す斜視図。
【発明を実施するための形態】
【０００９】
以下、本発明を具体化した一実施形態について説明する。
図１は、洗面所において、洗面台１１の近傍に位置する側壁面１２に露出配管された給水管路を示している。当該給水管路は、垂直配管部１３と、当該垂直配管部１３に接続されたエルボ配管部１４と、洗面台１１の直上に配設されたチーズ配管部１５と、エルボ配管部１４とチーズ配管部１５とを接続する第一水平配管部１６と、チーズ配管部１５に接続された第二水平配管部１７とを備えている。
【００１０】
当該給水管路における給水は、図示しない上流側の配管部から、垂直配管部１３、エルボ配管部１４、第一水平配管部１６、チーズ配管部１５、及び第二水平配管部１７を同順に介して、図示しない下流側の配管部へと行われる。
【００１１】
図２に示すように、前記第一水平配管部１６は、水路を構成する配管部品としての被覆パイプ２１と、当該被覆パイプ２１を覆う配管カバー２２とを備えている。被覆パイプ２１は、合成樹脂製のパイプ２１ａに断熱材２１ｂが被覆されてなる。配管カバー２２は、合成樹脂製のベースプレート２３と、同じく合成樹脂製のカバー本体２４とを備えている。ベースプレート２３とカバー本体２４とで囲まれた空間に、被覆パイプ２１が収容されている。
【００１２】
前記ベースプレート２３は、被覆パイプ２１を挟持するための一対の弾性片２５を備えている。各弾性片２５の外側面には、係合段部２５ａが形成されている。ベースプレート２３は、ビス止め等によって、洗面所の側壁面１２（図１参照）に固定されている。カバー本体２４は、横断面Ｕ字状をなしており、上下両側縁には内側に向かって係合突部２４ａが突設されている。カバー本体２４は、当該カバー本体２４が合成樹脂製であることで備える弾性を利用して、係合突部２４ａが係合段部２５ａにスナップ係合することで、ベースプレート２３に対して取り付けられている。
【００１３】
なお、前記第二水平配管部１７については、第一水平配管部１６と同様な構成であるため、同一部材には同じ番号を付して説明を省略する。また、垂直配管部１３については、延在方向が垂直であること以外、第一水平配管部１６と同様な構成であるため、同一部材には同じ番号を付して説明を省略する。
【００１４】
前記エルボ配管部１４については、Ｌ字型の配管カバー２７内にＬ字型のパイプ継手（図示しない）を収容する点が第一水平配管部１６とは大きく異なるが、配管カバー２７の基本的な構造については第一水平配管部１６の配管カバー２２とほぼ同様であるので、説明を省略する。また、チーズ配管部１５は、ボックス１５ａ内に図示しないＴ字型のパイプ継手が収容され、当該パイプ継手においてボックスから露出する接続口に蛇口２６が接続されている。
【００１５】
さて、図１及び図２に示すように、前記第一水平配管部１６の配管カバー２２には、タオルハンガーとして機能するアタッチメント３１が装着されている。アタッチメント３１は、それぞれ金属製又は合成樹脂製の第一ベース部材３２及び第二ベース部材３３を備えている。第一ベース部材３２及び第二ベース部材３３は、カバー本体２４の外形に沿う内形を有した湾曲状をなしている。第一ベース部材３２及び第二ベース部材３３は、配管カバー２２の延在方向（水平方向）に沿って、所定間隔をおいて配置されている。第一ベース部材３２及び第二ベース部材３３は、接着剤や両面テープ等によって、カバー本体２４の外面に固定されている。
【００１６】
前記第一ベース部材３２の外面及び第二ベース部材３３の外面には、それぞれ金属製又は合成樹脂製の支持部３４、３５が、水平方向に突設されている。各支持部３４、３５の先端には、横断面円形状をなす保持凹部３４ａ、３５ａが形成されている。第一ベース部材３２及び第二ベース部材３３は、互いの保持凹部３４ａ、３５ａの開口を対峙して配置されている。なお、図２において、第二ベース部材３３側で対応する部材については、括弧書きで部材番号を付してある。
【００１７】
前記第一ベース部材３２と第二ベース部材３３との間には、金属製又は合成樹脂製でかつ中空棒状をなすハンガー部材３６が架け渡されている。当該ハンガー部材３６は、第一端３６ａが第一ベース部材３２の保持凹部３４ａに挿入されるとともに、第二端３６ｂが第二ベース部材３３の保持凹部３５ａに挿入されることで、第一ベース部材３２及び第二ベース部材３３によって支持されている。物品保持部としてのハンガー部材３６には、物品としてのタオルを掛け置くことが可能である。
【００１８】
このように、前記アタッチメント３１を用いることで、配管カバー２２にタオルハンガーの機能を付加することができ、当該配管カバー２２が洗面台１１の利用者側に突出することは、当該タオルハンガーを利用し易いという利点になる。
【００１９】
本発明は例えば次のような態様でも実施可能である。
○図３に示すように、上記実施形態から第一ベース部材３２及び第二ベース部材３３を削除するとともに、配管カバー２２のカバー本体２４に支持部３４、３５を、一体成形等によって直接的に突設すること。
【００２０】
○図４示すように、上記実施形態からハンガー部材３６を削除し、当該ハンガー部材３６に代えて平板状の棚部材４５を配置すること。当該棚部材４５の板面には複数のスリット４５ａが形成されているとともに、両側部にはそれぞれアーム部４６が設けられている。アーム部４６には図示しない軸部が棚部材４５の外方に向かって突設されており、当該軸部が対応する支持部３４、３５の保持凹部３５ａ（図２参照）に挿入固定されている。
【００２１】
○図５示すように、垂直配管部１３の配管カバー２２に取り付けられるアタッチメント４０に具体化すること。図５の態様では、一つのベース部材４１に一つの支持部４２が水平方向へ突設されて、当該支持部４２に、例えばコップ置きとして機能する盆状の棚４３が片持ち支持されている。
【００２２】
○第一ベース部材３２及び第二ベース部材３３と、配管カバー２２との固定は、一方に爪部を設けるとともに、当該爪部が係合される凹状部又は凸状部を他方に設けることで、スナップ係合により達成されるようにしてもよい。
【００２３】
○第一ベース部材３２及び第二ベース部材３３と、配管カバー２２との固定は、ネジ止めによって達成されるようにしてもよい。
【００２４】
○第一ベース部材３２及び第二ベース部材３３と、配管カバー２２とは、固定関係になくともよく、例えば配管カバー２２上を当該配管カバー２２の延在方向に沿って、第一ベース部材３２及び第二ベース部材３３がスライド移動可能であってもよい。
【００２５】
○エルボ配管部１４又はチーズ配管部１５或いは第二水平配管部１７において、配管カバーに物品保持部を直接設けるか、或いは配管カバーに物品保持部を備えたアタッチメントを装着すること。
【符号の説明】
【００２６】
１６…露出配管を構成する第一水平配管部、２１…配管部品としての被覆パイプ、２２…配管カバー、２４…カバー本体、３１…配管カバー用アタッチメント、３２…第一ベース部材、３３…第二ベース部材、３６…物品保持部としてのハンガー部材。
【図１】
2017082970.tif 000003
【図２】
2017082970.tif 000004
【図３】
2017082970.tif 000005
【図４】
2017082970.tif 000006
【図５】
2017082970.tif 000007